【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
指紋感知システムにおいて、
センサアレイであって、
それぞれが前記センサアレイの表面に面し、前記センサアレイの前記表面に触れる指に容量的に結合するよう配置される複数の感知構造と、
前記感知構造のそれぞれに接続され、前記感知構造のそれぞれが帯びる電荷の変化を示す感知信号を提供するための読み出し回路構成と、を有するセンサアレイと、
前記読み出し回路構成に、高電位と低電位との電位差である、略一定の電源電圧を提供するよう配置される電源回路構成と、を備える指紋感知システムであって、
前記指紋感知システムは、前記電源電圧を実質的に維持しつつ、前記低電位および前記高電位が、前記指紋感知システムを備える装置の基準電位に関して可変であるように構成されており、
前記読み出し回路構成は、前記電源電圧を実質的に維持しつつ、前記低電位と前記高電位の変動が、前記読み出し回路構成に接続された感知構造が帯びる前記電荷の変化をもたらすよう、前記感知構造のそれぞれに接続され、前記感知構造が帯びる前記電荷の変化は、前記感知構造と前記指との容量結合を示している、指紋感知システム。
【請求項２】
前記電源回路構成は、前記基準電位に関して変動する、前記低電位としての第一時変電位および前記高電位としての第二時変電位を提供するよう構成される、請求項１に記載の指紋感知システム。
【請求項３】
前記読み出し回路構成は、
前記低電位と前記高電位の前記変動が、前記基準電位に関する、第一組の各感知構造の電位の変動をもたらし、前記読み出し回路構成が、前記第一組の各感知構造が帯びる電荷の前記変化を示す信号を提供するように、前記第一組の感知構造に接続され、および
前記低電位と前記高電位の前記変動が、前記基準電位に関する、第二組の各感知構造の電位の変動をもたらすように、前記第一組の感知構造と異なる前記第二組の感知構造に接続されるように、制御可能である、請求項１または２に記載の指紋感知システム。
【請求項４】
前記読み出し回路構成は、前記第一組の各感知構造が帯びる電荷の前記変化を示す信号のみを提供する、請求項３に記載の指紋感知システム。
【請求項５】
前記電源回路構成は、電圧源に接続するための入力側と、前記センサアレイに接続する出力側とを有する絶縁回路構成を備え、
前記絶縁回路構成は、電流が前記出力側から前記入力側に流れるのを防ぎ、前記出力側の出力電位が前記入力側の入力電位と異なることを可能にするよう構成される、請求項１から４のいずれか一項に記載の指紋感知システム。
【請求項６】
前記絶縁回路構成は、前記入力側と前記出力側とのガルバニック絶縁を提供するよう構成される、請求項５に記載の指紋感知システム。
【請求項７】
前記センサアレイは、駆動回路構成をさらに備え、前記駆動回路構成は、前記感知構造のそれぞれに接続可能であり、前記駆動回路構成に接続する感知構造の電位を、前記低電位に関して、変化させるよう制御可能である、請求項１から６のいずれか一項に記載の指紋感知システム。
【請求項８】
前記センサアレイから指紋データを取得するための通信インターフェースを介して前記センサアレイに接続される処理回路構成をさらに備える、請求項１から７のいずれか一項に記載の指紋感知システム。
【請求項９】
前記センサアレイと前記処理回路構成とのガルバニック絶縁を提供するための絶縁回路構成をさらに備える、請求項８に記載の指紋感知システム。
【請求項１０】
前記低電圧および前記高電位は、前記処理回路構成の基準電位に関して可変である、請求項８または９に記載の指紋感知システム。
【請求項１１】
前記電源回路構成は、前記処理回路構成が前記センサアレイから指紋データを取得する期間中に、前記低電位および前記高電位のそれぞれを、前記処理回路構成の前記基準電位に関して、略一定に保つよう構成される、請求項８から１０のいずれか一項に記載の指紋感知システム。
【請求項１２】
前記指が前記センサアレイの前記表面に置かれた時に、前記指に電気接触するよう配置された導電構造をさらに備える、請求項１から１１のいずれか一項に記載の指紋感知システム。
【請求項１３】
前記センサアレイは、
前記低電位に関して時間変動する、前記読み出し回路構成の動作を同期させるための励振信号を発生させる励振信号発生回路構成と、
前記センサアレイから前記励振信号を出力するための励振信号出力と、を備え、
前記励振信号出力は、前記基準電位に導電接続し、それによって、前記低電位および前記高電位を前記基準電位に関して時間変動させる、請求項１から１２のいずれか一項に記載の指紋感知システム。
【請求項１４】
前記指紋感知システムは、前記センサアレイに近接して配置される、前記指に導電接触するための導電性の指接触構造をさらに備え、
前記センサアレイは、
前記低電位に関して時間変動する、前記読み出し回路構成の動作を同期させるための励振信号を発生させる励振信号発生回路構成と、
前記センサアレイから前記励振信号を出力するための励振信号出力と、を備え、
前記励振信号出力は、前記指接触構造に導電接続し、それによって、前記低電位および前記高電位を前記指の電位に関して時間変動させる、請求項１から１２のいずれか一項に記載の指紋感知システム。
【請求項１５】
請求項１３に記載の指紋感知システムと、
処理回路構成であって、
前記指紋パターンの表示を前記指紋感知システムから取得し、
前記表示に基づいてユーザを認証し、
前記ユーザが前記表示に基づいて認証された場合のみ少なくとも一つのユーザ要求処理を実行するよう構成された処理回路構成と、を備える電子装置であって、
前記指紋感知システムに備えられる前記センサアレイの前記励振信号出力は、前記電子装置の前記基準電位に導電接続される、電子装置。
【請求項１６】
それぞれが指紋センサの表面に面する感知構造を備える複数のセンサ素子を備え、前記センサ素子のそれぞれは前記感知構造と前記容量指紋センサの前記表面に置かれた指との容量結合を示す信号を提供するよう構成されるセンサアレイと、
低電位入力および高電位入力を有する、前記センサアレイに電力を供給するための電源インターフェースと、を備える指紋センサを動作させる方法であって、
前記指紋センサを備える装置の基準電位に関する第一時変電位を前記電源インターフェースの前記低電位入力に提供し、前記指紋センサを備える装置の基準電位に関する第二時変電位を前記電源インターフェースの前記高電位入力に提供し、前記第二時変電位と前記第一時変電位との電位差は略一定電圧である、工程と、
前記感知構造と前記指紋センサの前記表面に置かれた前記指との前記容量結合を示す前記信号を、前記第一時変電位および前記第二時変電位を提供しつつ、前記センサ素子のそれぞれから取得する工程と、を備える方法。
【請求項１７】
前記取得する工程は、
第一組のセンサ素子のそれぞれのセンサ素子を、前記低電位と前記高電位の前記変動が、前記第一組のそれぞれのセンサ素子の前記感知構造の電位の変動をもたらすように、および前記第一組のそれぞれのセンサ素子が、前記感知構造と前記指紋センサの前記表面に置かれた前記指との前記容量結合を示す前記信号を提供するように制御する工程と、
前記第一組の感知構造と異なる第二組のセンサ素子のそれぞれのセンサ素子を、前記低電位と前記高電位の前記変動が、前記第二組のそれぞれのセンサ素子の前記感知構造の電位の変動をもたらすよう制御する工程と、を備える、請求項１６に記載の方法。
【請求項１８】
前記第二組のセンサ素子は、前記第一組の少なくとも一つのセンサ素子に近接して配置される、請求項１７に記載の方法。
【請求項１９】
前記取得する工程は、
第三組のセンサ素子のそれぞれのセンサ素子を、前記センサ素子の前記感知構造の電位が、前記基準電位に関して、一定または、前記第一組のセンサ素子のそれぞれのセンサ素子の前記感知構造の電位のピーク間振幅よりも低いピーク間振幅で時間によって変動するよう制御する工程をさらに備える、請求項１７または１８に記載の方法。
【請求項２０】
前記容量指紋センサに備えられる通信インターフェースを介して、前記指の指紋パターンを示す信号を提供する工程をさらに備え、
前記指の前記指紋パターンを示す前記信号は、誤差修正を可能にするための誤差修正データをさらにエンコードする、請求項１６から１９のいずれか一項に記載の方法。
【請求項２１】
それぞれが指紋センサの表面に面する感知構造を備える複数のセンサ素子を備え、前記センサ素子のそれぞれは、前記感知構造と前記容量指紋センサの前記表面に置かれた指との容量結合を示す信号を提供するよう構成されるセンサアレイと、
低電位を受け取る低電位入力および高電位を受け取る高電位入力を有する、前記センサアレイに電力を供給するための電源インターフェースと、
前記低電位に関して時間変動する、前記指紋センサの動作を同期化する励振信号を発生させるための励振信号発生回路構成と、
前記励振信号を前記指紋センサから出力するための励振信号出力と、を備える指紋センサを動作させる方法であって、
前記指紋センサを備える装置の基準電位に前記励振信号出力を導電接続し、前記低電位および前記高電位の、前記基準電位に関する時間変動をもたらす工程と、
前記高電位と前記低電位との略一定の電位差を提供する工程と、
前記励振信号を提供しつつ、前記感知構造と前記指紋センサの前記表面に置かれた前記指との前記容量結合を示す前記信号を、前記センサ素子のそれぞれから取得する工程と、を備える方法。
【請求項２２】
指紋感知システムにおいて、
センサアレイであって、
複数の感知構造と、
前記感知構造のそれぞれに接続され、感知信号を提供するための読み出し回路構成と、を有するセンサアレイと、
前記読み出し回路構成に、高電位と低電位との電位差である、略一定の電源電圧を提供するよう配置される電源回路構成と、を備える指紋感知システムであって、
前記指紋感知システムは、前記指紋感知システムの動作中に、前記電源電圧を実質的に維持しつつ、前記低電位および前記高電位が、前記指紋感知システムを備える装置の基準電位に関して同相で振動するように構成されている、指紋感知システム。